(57)【要約】      （修正有）【課題】充填されたヘリウムガスがベースの外部に漏洩を防止できるディスク駆動装置用ハウジングを提供する。【解決手段】上下方向に延びる中心軸を中心として回転するディスクと、ディスクを回転させるモータと、を内部に収納する収納部を有するとともに、上面が開口する金属製のダイカスト部材から成り、軸方向の一端面から他端面側に延びる非貫通の第１ネジ孔４５を備えた、ディスク駆動装置用ハウジング４０であって、第１ネジ孔４５は、第１ネジ孔４５の内面の先端部に配置されてダイカスト部材の金属部分がチル層６０で覆われた第１領域７１と、第１ネジ孔４５の内周面に配置されてネジ部４５ｂが設けられるとともにダイカスト部材の金属部分が露出した第２領域７２と、を有する。【選択図】図４
2019125410.tif 000002
【特許請求の範囲】
【請求項１】
上下方向に延びる中心軸を中心として回転するディスクと、前記ディスクを回転させるモータと、を内部に収納する収納部を有するとともに、上面が開口する金属製のダイカスト部材から成り、軸方向の一端面から他端面側に延びる非貫通の第１ネジ孔を備えた、ディスク駆動装置用ハウジングであって、
前記第１ネジ孔は、
前記第１ネジ孔の内面の先端部に配置されて前記ダイカスト部材の金属部分がチル層で覆われた第１領域と、
前記第１ネジ孔の内周面に配置されてネジ部が設けられるとともに前記ダイカスト部材の金属部分が露出した第２領域と、を有する、ディスク駆動装置用ハウジング。
【請求項２】
前記第１領域の軸方向の長さは、前記第１ネジ孔の軸方向の長さに対して２０％以上３５％以下である、請求項１に記載のディスク駆動装置用ハウジング。
【請求項３】
前記他端面と前記第１領域との軸方向の最小距離が、０．５ｍｍ以上である、請求項１又は請求項２に記載のディスク駆動装置用ハウジング。
【請求項４】
前記第１ネジ孔は、前記収納部の周壁に配置される、請求項１〜請求項３のいずれかに記載のディスク駆動装置用ハウジング。
【請求項５】
請求項１〜請求項４のいずれかに記載のディスク駆動装置用ハウジングは、上面視において矩形に形成され、
前記第１ネジ孔は、軸方向から見て前記中心軸を通って長辺に直交する分割線に対して、前記ディスク上で情報を記録再生するヘッドとは反対側の領域に配置される、ディスク駆動装置用ハウジング。
【請求項６】
前記第１ネジ孔の軸方向の長さは、前記第１ネジ孔が配置される前記一端面と前記他端面との軸方向の距離に対して５５％以上７５％以下である、請求項１〜請求項５のいずれかに記載のディスク駆動装置用ハウジング。
【請求項７】
前記第１ネジ孔の前記一端面に形成された開口部の径は、前記第１ネジ孔が形成された前記一端面と前記他端面との軸方向の距離に対して４０％以上７０％以下である、請求項１〜請求項６のいずれかに記載のディスク駆動装置用ハウジング。
【請求項８】
前記第１ネジ孔の前記第２領域の径は、前記第１ネジ孔が形成された前記一端面と前記他端面との軸方向の距離に対して２０％以上５０％以下である、請求項１〜請求項６のいずれかに記載のディスク駆動装置用ハウジング。
【請求項９】
前記第１ネジ孔に隣接するとともに軸方向の前記他端面から前記一端面側に延びる非貫通の第２ネジ孔を有し、
前記第２ネジ孔の内面全体は、前記ダイカスト部材の金属部分が露出し、
前記第１ネジ孔と前記第２ネジ孔との径方向の距離が１０ｍｍ以下である、請求項１〜請求項８に記載のディスク駆動装置用ハウジング。
【請求項１０】
前記第２ネジ孔の先端部と対向する前記一端面上は前記ダイカスト部材の金属部分がチル層で覆われた、請求項９に記載のディスク駆動装置用ハウジング。
【発明の詳細な説明】
【技術分野】
【０００１】
本発明は、ディスク駆動装置用ハウジングに関する。
【背景技術】
【０００２】
従来のディスク駆動装置用ベースは特許文献１に開示されている。上面が開口するベースは内部に磁気記録ディスクと、磁気記録ディスクを回転する回転体と、磁気記録ディスク上で情報を記録再生する記録再生ヘッドとが収納される。ベースはアルミニウム合金を鋳造成形して形成される。また、ベース内部はヘリウムガスが充填され、ベースの上面はトップカバーで閉蓋される。
【０００３】
ベースの上面にはトップカバーとネジ止めするためのネジ穴が複数設けられている。また、ベースの下面には回路基板を取付けるためのネジ穴やディスク駆動装置をパーソナルコンピュータ等に取り付けるためのネジ穴が複数設けられている。
【先行技術文献】
【特許文献】
【０００４】
【特許文献１】特開２０１３−２１８７５２号公報
【発明の概要】
【発明が解決しようとする課題】
【０００５】
しかしながら、上記特許文献に開示されたディスク駆動装置用ベースは、肉厚部分は鋳造成形時に冷却速度が遅く、引け巣が生じる場合がある。このため、引け巣がベース内部とネジ孔とを連通し、充填されたヘリウムガスがベースの外部に漏洩する問題があった。
【０００６】
本発明は、内部に封止されたガスの漏洩を防止できるディスク駆動装置用ハウジングを提供することを目的とする。
【課題を解決するための手段】
【０００７】
本発明の例示的なディスク駆動装置用ハウジングは、上下方向に延びる中心軸を中心として回転するディスクと、前記ディスクを回転させるモータと、を内部に収納する収納部を有するとともに、上面が開口する金属製のダイカスト部材から成り、軸方向の一端面から他端面側に延びる非貫通の第１ネジ孔を備えた、ディスク駆動装置用ハウジングであって、前記第１ネジ孔は、前記第１ネジ孔の内面の先端部に配置されて前記ダイカスト部材の金属部分がチル層で覆われた第１領域と、前記第１ネジ孔の内周面に配置されてネジ部が設けられるとともに前記ダイカスト部材の金属部分が露出した第２領域と、を有する。
【発明の効果】
【０００８】
例示的な本発明によれば、内部に封止されたガスの漏洩を防止できるディスク駆動装置用ハウジングを提供することができる。
【図面の簡単な説明】
【０００９】
【図１】図１は、本発明の実施形態に係るディスク駆動装置用ハウジングの上面図である。
【図２】図２は、本発明の実施形態に係るディスク駆動装置用ハウジングの上面図である。
【図３】図３は、本発明の実施形態に係るディスク駆動装置用ハウジングの縦断面図である。
【図４】図４は、本発明の実施形態に係るディスク駆動装置用ハウジングの一部を拡大して示す縦断面図である。
【発明を実施するための形態】
【００１０】
以下、本発明の例示的な実施形態について、図面を参照しながら詳細に説明する。本明細書では、モータの中心軸方向における上側を「上側」とし、下側を「下側」とする。なお、上下方向は、実際の機器に組み込まれたときの位置関係や方向を示すものではない。また、中心軸に平行な方向または略平行な方向を「軸方向」と呼び、中心軸を中心とする径方向を単に「径方向」とし、中心軸を中心とする周方向を「周方向」とする。また、本明細書では、軸方向を上下方向とし、ディスク５０に対してモータ２側を下として、各部の形状や位置関係を説明する。なお、上下方向は単に説明のための用いられる名称であって、実際の位置関係及び方向を限定しない。
【００１１】
（１．ディスク駆動装置の構成）
本発明の例示的な一実施形態のディスク駆動装置用ハウジングについて説明する。図１、図２は本発明の実施形態に係るディスク駆動装置用ハウジング４０の上面図である。なお、図２はカバー４４を取り外した状態を示す。図３は本発明の実施形態に係るディスク駆動装置用ハウジング４０の縦断面図である。
【００１２】
ディスク駆動装置１はハードディスクドライブである。ディスク駆動装置１はモータ２、複数のディスク５０、アクセス部３０及びディスク駆動装置用ハウジング（以下、「ハウジング」と略す）４０を備える。
【００１３】
モータ２はディスク５０を支持しながら、中心軸Ｃを中心としてディスク５０を回転させる。モータ２は、静止部１０と回転部２０とを有する。静止部１０は、ハウジング４０に対して相対的に静止する。回転部２０は、静止部１０に対して回転可能に支持される。
【００１４】
静止部１０はベース部１１、ステータ１２及び軸受ユニット１３を有する。ベース部１１は回転部２０の下側において中心軸Ｃに対して略垂直に拡がる。ベース部１１はモータ２の一部であるとともに、ハウジング４０の一部でもある。ステータ１２及び軸受ユニット１３はベース部１１に固定される。
【００１５】
ステータ１２は磁性体であるステータコア１２ａと複数のコイル１２ｂとを有する。ステータコア１２ａは、径方向外側へ向けて突出する複数のティース１２ｃを有する。複数のコイル１２ｂは、ティース１２ｃに巻かれた導線により構成される。
【００１６】
軸受ユニット１３は回転部２０側のシャフト２１を回転可能に支持する。軸受ユニット１３には、例えば、流体動圧軸受機構が用いられる。
【００１７】
回転部２０はシャフト２１、ハブ２２及びマグネット２３を有する。シャフト２１は軸方向に延びる柱状の部材である。シャフト２１の下端部は軸受ユニット１３の内部に収容される。
【００１８】
ハブ２２はシャフト２１の上端部と固定され、径方向外側へ向けて拡がる。ハブ２２の外周部２２ａの上面はディスク５０を支持する。マグネット２３はハブ２２の内周面に固定され、ステータ１２の径方向外側に所定距離離れて対向して配置される。マグネット２３は円環状であり、マグネット２３の内周面には、Ｎ極とＳ極とが周方向に交互に着磁されている。
【００１９】
コイル１２ｂに駆動電流が供給されると、複数のティース１２ｃに磁束が生じる。そして、ティース１２ｃとマグネット２３との間の磁束の相互作用により、周方向のトルクが発生する。その結果、静止部１０に対して回転部２０が、中心軸Ｃを中心として回転する。ハブ２２に支持されたディスク５０は、回転部２０とともに、中心軸Ｃを中心として回転する。
【００２０】
アクセス部３０はヘッド３１とアーム３２とヘッド移動機構３３とを備える。ヘッド３１はディスク５０に近接して情報の読み出しと書き込みを磁気的に行う。アーム３２はヘッド３１を支持する。ヘッド移動機構３３はアーム３２を移動することにより、ヘッド３１をディスク５０に対して相対的に移動させる。ヘッド３１は回転するディスク５０に近接してアクセスする。
【００２１】
ディスク５０は中央部に孔を有する円板状の情報記録媒体である。各ディスク５０はモータ２に装着され、スペーサ（不図示）を介して軸方向に互いに平行且つ等間隔に配置されている。
【００２２】
ハウジング４０は上部が開口する箱状に形成され、収納部４０ａを有する。収納部４０ａの内部にディスク５０、モータ２及びアクセス部３０を収納する。ハウジング４０の上部の開口はカバー４４により塞がれる。
【００２３】
本実施形態において、ハウジング４０は上述したベース部１１を含む平板部４１と壁部４２とを有し、平板部４１及び壁部４２で囲まれる空間に収納部４０ａが形成される。平板部４１は中心軸Ｃに対して略垂直に拡がる。モータ２及びアクセス部３０は平板部４１に支持される。
【００２４】
壁部４２は平板部４１の外端縁から軸方向上側に向けて突出し、平板部４１を囲む。壁部４２の上面には支持面４２ａが形成され、支持面４２ａには第２ネジ孔４６が設けられる。カバー４４は支持面４２ａ上に支持され、第２ネジ孔４６にネジ８０（図１参照）を締め込んでカバー４４とハウジング４０とが固定される。
【００２５】
ハウジング４０とカバー４４とで構成される筺体の内部には、空気よりも低密度の気体が充填される。具体的には、ヘリウムガスが充填される。なお、ヘリウムガスの代わりに水素ガス、空気等を充填してもよい。
【００２６】
また、壁部４２の底面４２ｂには第１ネジ孔４５が設けられる。第１ネジ孔４５はモータ２及びアクセス部３０に接続される回路基板（不図示）を取付けるネジが締め込まれる。すなわち、第１ネジ孔４５は、収納部４０ａの周壁に配置される。
【００２７】
また、ハウジング４０は、上面視において矩形に形成され、第１ネジ孔４５は、軸方向から見て中心軸Ｃを通って長辺に直交する分割線Ｄに対して、ヘッド３１とは反対側の領域に配置される。これにより、第１ネジ孔４５をハウジング４０の肉厚部分に配置することができる。
【００２８】
なお、第１ネジ孔４５はディスク駆動装置１をパーソナルコンピュータ等の他の機器に取り付けるネジを締め込んでもよい。
【００２９】
（２．ネジ孔の構成）
図４はハウジング４０の一部を拡大して示す断面図であり、壁部４２近傍を示す。ハウジング４０はアルミニウム合金を材料とする金属製のダイカスト部材を鋳造成形して形成される。なお、ダイカスト部材はアルミニウム合金以外の金属を用いてもよい。
【００３０】
ハウジング４０の平板部４１の下面及び壁部４２の底面４２ｂはチル層６０が形成される。チル層６０はハウジング４０が鋳造で成形される際に、金型と接する部分が急冷され、内部組織がダイカスト部材の金属部分よりも密となり強度が高い層である。また、ハウジング４０の平板部４１の上面及び壁部４２の支持面４２ａは切削加工によりチル層６０が設けられておらず、ダイカスト部材の金属部分が露出している。
【００３１】
第１ネジ孔４５は壁部４２の底面４２ｂから支持面４２ａ側に延び、第２ネジ孔４６は壁部４２の支持面４２ａから底面４２ｂ側に延びる。すなわち、第１ネジ孔４５はハウジング４０の軸方向の一端面から他端面側に延び、第２ネジ孔４６はハウジング４０の軸方向の他端面から一端面側に延びる。また、第１ネジ孔４５及び第２ネジ孔４６はハウジング４０を軸方向に貫通しておらず、非貫通に形成される。
【００３２】
また、第１ネジ孔４５の先端部４５ａは支持面４２ａ側に凸に形成されている。また、第２ネジ孔４６の先端部４６ａは壁部４２の底面４２ｂ側に凸に形成されている。また、第１ネジ孔４５及び第２ネジ孔４６は開口部４５ｃ、４６ｃ側にフランジ部４５ｄ、４６ｄを有し、フランジ部４５ｄ、４６ｄの縦断面は開口部４５ｃ、４６ｃに向かって径が拡がる方向に傾斜している。フランジ部４５ｄ、４６ｄは第１ネジ孔４５、第２ネジ孔４６に螺合されるネジのネジ頭が当接する。
【００３３】
第１ネジ孔４５の内面は第１領域７１及び第２領域７２を有する。第１領域７１は第１ネジ孔４５の内面の先端部４５ａに配置され、ダイカスト部材の金属部分がチル層６０で覆われている。
【００３４】
チル層６０はダイカスト部材の金属部分と比較して内部組織が密であるため、チル層６０には引け巣が生じ難い。これにより、鋳造成形時に引け巣が第１ネジ孔４５と支持面４２ａとの間に生じた場合でも、チル層６０が引け巣を遮断することができる。従って、引け巣が第１ネジ孔４５の先端部４５ａに開口することが防止される。これにより、引け巣を介して収納部４０ａと第１ネジ孔４５とが連通することを防ぐことができる。従って、ヘリウムガスがディスク駆動装置１の外部に漏洩することを防止できる。
【００３５】
第２領域７２は第１ネジ孔４５の内周面に配置され、ネジが螺合するネジ部４５ｂが形成される。第２領域７２はチル層６０で覆われておらず、ダイカスト部材の金属部分が露出している。ダイカスト部材の金属部分にネジ部４５ｂを形成することにより、ネジ部４５ｂの加工精度が低下することを低減できる。また、ネジ部４５ｂのネジの締め付け強度が低下することを低減できる。
【００３６】
なお、ネジ部４５ｂは切削加工によって形成され、螺合するネジの形状によって雌ネジ形状又は雄ネジ形状のいずれの形状に形成してもよい。
【００３７】
また、第１領域７１の軸方向の長さＬ１は第１ネジ孔４５の軸方向の長さＬ２に対して２０％以上３５％以下である。長さＬ１が長さＬ２に対して２０％未満の場合、第１ネジ孔４５の内面はチル層６０で覆われる領域が狭まり、引け巣が第１ネジ孔４５の内面において開口し易くなる。このため、引け巣と第１ネジ孔４５との連通を十分に低減することができない。また、長さＬ１が長さＬ２に対して３５％より大きい場合、第２領域７２のネジ部４５ｂの軸方向の長さが短くなり、ネジの締め付け強度が低下する。
【００３８】
また、ハウジング４０の支持面（他端面）４２ａと第１領域７１との軸方向の最小距離Ｌ３が、０．５ｍｍ以上ある。これにより、支持面４２ａと第１ネジ孔４５との距離を０．５ｍｍ以上設けてハウジング４０の強度の低下を低減することができる。
【００３９】
また、第１ネジ孔４５の軸方向の長さＬ２は、第１ネジ孔４５が配置される底面（一端面）４２ｂと支持面（他端面）４２ａとの軸方向の距離（Ｌ２＋Ｌ３）に対して５５％以上７５％以下である。長さＬ２が距離（Ｌ２＋Ｌ３）に対して５５％以上とすることにより、第１ネジ孔４５と支持面４２ａとの距離を短くして第１ネジ孔４５と支持面４２ａとの間に引け巣が発生することを低減することができる。また、長さＬ２が距離（Ｌ２＋Ｌ３）に対して７５％未満とすることにより、ハウジング４０の強度の低下を低減することができる。
【００４０】
また、第１ネジ孔４５のハウジング４０の底面（一端面）４２ｂに形成された開口部４５ｃの径Ｒ１は、第１ネジ孔４５が形成されたハウジング４０の底面（一端面）４２ｂと支持面（他端面）４２ａとの軸方向の距離（Ｌ２＋Ｌ３）に対して４０％以上７０％以下である。径Ｒ１を距離（Ｌ２＋Ｌ３）に対して４０％以上とすることにより、ネジの締め付け強度の低下を低減することができる。また、径Ｒ１を距離（Ｌ２＋Ｌ３）に対して７０％以下とすることにより、第１ネジ孔４５の内周面積を小さくして第１ネジ孔４５に引け巣が開口することを低減できる。
【００４１】
また、第１ネジ孔４５の第２領域７２の径Ｒ２は、第１ネジ孔４５が形成されたハウジング４０の底面（一端面）４２ｂと支持面（他端面）４２ａとの軸方向の距離（Ｌ２＋Ｌ３）に対して２０％以上５０％以下である。径Ｒ２を距離（Ｌ２＋Ｌ３）に対して２０％以上とすることにより、ネジの締め付け強度の低下を低減することができる。径Ｒ２を距離（Ｌ２＋Ｌ３）に対して５０％以下とすることにより、第１ネジ孔４５の第２領域７２内周面積を小さくして第１ネジ孔４５の第２領域７２に引け巣が開口することを低減できる。
【００４２】
第２ネジ孔４６の内面全体はダイカスト部材の金属部分が露出し、チル層６０で覆われていない。一方、壁部４２の底面４２ｂはダイカスト部材の金属部分がチル層６０で覆われている。すなわち、第２ネジ孔４６の先端部４６ａと対向する底面（一端面）４２ｂ上はチル層６０で覆われている。
【００４３】
このため、鋳造成形時に引け巣が第２ネジ孔４６と底面４２ｂとの間に生じた場合でも、チル層６０によって引け巣が底面４２ｂに開口することが防止される。従って、引け巣及び第２ネジ孔４６を介して収納部４０ａとハウジング４０の外部が連通することを防ぐことができる。これにより、ヘリウムガスがディスク駆動装置１の外部に漏洩することを防止できる。
【００４４】
また、第１ネジ孔４５及び第２ネジ孔４６は径方向の距離が１０ｍｍ以下の位置に配置される。第１ネジ孔４５及び第２ネジ孔４６を近接して配置することにより、壁部４２を径方向に薄肉化してハウジング４０を小型化及び軽量化することができる。また、ハウジング４０を径方向に小型化することで、比較的大きなディスク５０をハウジング４０内部に収容することができる。すなわち、ディスクの高容量化の市場ニーズに適したベースユニットを用いたディスク駆動装置１を提供することができる。
【００４５】
また、第１ネジ孔４５の第１領域７１にチル層６０が形成されており、鋳造成形時に引け巣が第１ネジ孔４５の先端部４５ａと第２ネジ孔４６との間に現れた場合でも、引け巣が第１ネジ孔４５に開口することを低減できる。これにより、第１ネジ孔４５及び第２ネジ孔４６が引け巣を介して連通することを防ぐことができる。
【００４６】
次に本発明の効果について、実施例及び比較例を用いて具体的に説明する。表１はハウジング４０のヘリウムガスの漏洩について評価を行った結果を示している。
【００４７】
以下の実施例１〜３及び比較例に係るハウジング４０はアルミニウム合金を材料として鋳造により成形した。また、実施例１に係るハウジング４０は第１ネジ孔４５の軸方向の長さＬ２に対して第１領域７１の軸方向の長さＬ１が３３．３％である。また、実施例２に係るハウジング４０は第１ネジ孔４５の全軸方向の長さＬ２に対して第１領域７１の軸方向の長さＬ１が２８．９％である。また、実施例３に係るハウジング４０は第１ネジ孔４５の全軸方向の長さＬ２に対して第１領域７１の軸方向の長さＬ１が２２．２％である。
【００４８】
また、比較例に係るハウジング４０は第１ネジ孔４５の軸方向の長さＬ２に対して第１領域７１の軸方向の長さＬ１が１５．６％である。
【００４９】
［ヘリウムガス漏洩の発生率の測定］
実施例１〜３及び比較例に係るハウジング４０を各１００個用意し、ハウジング４０にカバー４４とで構成される筺体の内部にはヘリウムガスを充填したときにヘリウムガスの漏洩が発生する発生率を測定した。測定結果を表１に示す。
【００５０】
【表１】
2019125410.tif 000003
【００５１】
［ヘリウムガス漏洩の評価］
表１に示すように、第１領域７１の軸方向の長さＬ１が第１ネジ孔４５の軸方向の長さＬ２に対して２０％以上ある実施例１〜実施例３のハウジング４０はヘリウムガス漏洩の発生率が０．１２％以下であり、ヘリウムガス漏洩を低減できることが確認された。一方、第１領域７１の軸方向の長さＬ１は第１ネジ孔４５の軸方向の長さＬ２に対して２０％未満の比較例のハウジング４０はヘリウムガス漏洩の発生率が２％以上であり、引け巣と第１ネジ孔４５との連通を十分に低減することができないことが確認された。
【００５２】
（３．その他）
上記実施形態は、本発明の例示にすぎない。実施形態の構成は、本発明の技術的思想を超えない範囲で適宜変更されてもよい。また、実施形態は、可能な範囲で組み合わせて実施されてよい。例えば、本実施形態では第１ネジ孔４５の先端部４５ａにチル層６０で覆われた第１領域７１を設けたが、第２ネジ孔４６の先端部にチル層６０で覆われた第１領域を設けてもよい。
【００５３】
また、第１領域７１及び第２領域７２を第１ネジ孔４５及び第２ネジ孔４６以外のネジ孔に設けてもよい。例えば、モータ２又はヘッド移動機構３３をハウジング４０に取付けるためのネジ孔又はディスク駆動装置１をパーソナルコンピュータ等の他の機器に取り付けるためのネジ孔に第１領域７１及び第２領域７２を設けてもよい。
【産業上の利用可能性】
【００５４】
本発明によると、ハードディスクドライブ等のディスク駆動装置に用いられるハウジングに利用することができる。
【符号の説明】
【００５５】
１・・・ディスク駆動装置、２・・・モータ、１０・・・静止部、１１・・・ベース部、１２・・・ステータ、１２ａ・・・ステータコア、１２ｂ・・・コイル、１２ｃ・・・ティース、１３・・・軸受ユニット、２０・・・回転部、２１・・・シャフト、２２・・・ハブ、２２ａ・・・外周部、２３・・・マグネット、３０・・・アクセス部、３１・・・ヘッド、３２・・・アーム、３３・・・ヘッド移動機構、４０・・・ハウジング、４０ａ・・・収納部、４１・・・平板部、４２・・・壁部、４２ａ・・・支持面、４２ｂ・・・底面、４４・・・カバー、４５・・・第１ネジ孔、４５ａ・・・先端部、４５ｂ・・・ネジ部、４５ｃ・・・開口部、４５ｄ・・・フランジ部、４６・・・第２ネジ孔、４６ａ・・・先端部、４６ｃ・・・開口部、４６ｄ・・・フランジ部、５０・・・ディスク、６０・・・チル層、７１・・・第１領域、７２・・・第２領域、８０・・・ネジ、Ｃ・・・中心軸、Ｄ・・・分割線、Ｌ１・・・長さ、Ｌ２・・・長さ、Ｌ３・・・最小距離、Ｒ１・・・径、Ｒ２・・・径
【図１】
2019125410.tif 000004
【図２】
2019125410.tif 000005
【図３】
2019125410.tif 000006
【図４】
2019125410.tif 000007